(57)【要約】【課題】  人が集まる共用スペースとしてのエレベータの利用価値を高める【解決手段】 かご内及びホールに利用登録した者のみが使用できる電子掲示板を設置し、認証手段を用いて利用者を絞り込み、画面上から利用者のメッセージが入力可能であり且つタッチパネル状の画面から随時入力可能且つ随時保留及び再開可能として、当該メッセージを蓄積情報として保持した上で随時利用者による閲覧可能とｓるうことで、利用者のコミュニケーションの便宜に供すると共に乗客のエレベータ待ち時間の有効活用に寄与する。【選択図】        図１
2005263426.tif 000002
【特許請求の範囲】
【請求項１】
エレベータの乗場又はかご内に電気的手段により情報入力が可能な掲示板を備え、該掲示板上で入力されるデータを蓄積する記憶装置、及び該掲示板と該記憶装置を接続する伝送路を備えたことを特徴とするエレベータの情報案内装置。
【請求項２】
前記入力画面上には利用者が指で触ることにより随時メッセージ入力を保留することができるボタンを備えたことを特徴とする請求項１に記載のエレベータの情報案内装置。
【請求項３】
前記閲覧画面はすべてのメッセージをツリー状に表示できるツリー画面と個別のメッセージを表示できる個別画面とを備えたことを特徴とする請求項１に記載のエレベータの情報案内装置。
【発明の詳細な説明】
【技術分野】
【０００１】
本発明は、エレベータの乗場及びかご内に設置された情報案内装置、例えば電子掲示板などに関するものである。
【背景技術】
【０００２】
従来からエレベータのかご内に黒板を設けて伝言版の代わりにするものが提案されている。即ち、図７に示すように、かご床２、かご側面３、かご天井４、ドア６の横に設置された操作盤７で構成されるかご室内の側板部にエレベータ乗客が伝言を自由に書くことができ、情報の伝達に利用できる黒板８を設け、同時にかご室内に小物収納ポケット９を設けてその中にペンやイレーサを収納することで該掲示板の利便性を高めるというものである。（特許文献１参照）
【０００３】
また、かご内やエレベータホールに電子掲示板を設置しエレベータに関わる情報のみならずエレベータに関連のない情報を掲示することで、建物のコミュニティー広場的な位置づけとする案件も開示されている。つまり、掲示板をかご内及びエレベータホールに設置し、伝送系統により該掲示板に情報伝送するというものである。（特許文献２参照）
【特許文献１】実開平２−３７１７６公報
【特許文献２】特許２５４９１４０号公報
【発明の開示】
【発明が解決しようとする課題】
【０００４】
しかし、従来の手書きの黒板等は伝言板としての活用が可能であり双方向性がある反面、情報蓄積性に欠け、一方最近になり登場し始めた電子掲示板については情報蓄積性があるが双方向性に欠ける。双方を満たす掲示板は今まで存在しないため、人の集まるエレベータの公共性、共用性があまり活用されることはなかった。ところが、最近、液晶装置の量産技術が進歩するなどして、エレベータかご内又はエレベータホールにおける表示装置は従来技術では考えられにくい仕様のものが可能な状況になって来ている。
【課題を解決するための手段】
【０００５】
本発明は、エレベータの乗場又はかご内に電子掲示板のようなメッセージ等の入力が可能な掲示板を備え、入力されたメッセージ等に係るデータを伝送路を介して伝送して記憶装置に蓄積することを可能にするエレベータの情報案内装置に関するものである。
【発明の効果】
【０００６】
エレベータかご内と乗場の両方或いは一方にデータを共有した電子掲示板を設けることによりエレベータ利用者相互の多目的な情報伝達を自由に行うことができて、エレベータを単なる移動の道具ではない、公共の情報交換の場とすることができる。
【発明を実施するための最良の形態】
【０００７】
エレベータの掲示板に、電子掲示板で且つ双方向性を持たせたものとし、通常時は不特定多数の人のための広報に利用するが、所定時にはパスワード等の認証手段によりログインする者を特定して読み書きを自由に行える方式とする。
【実施例１】
【０００８】
本発明の実施例を図を用いて説明する。
図１はエレベータかご内に本発明に係る掲示板を設置した状態を示したもの、図２は該掲示板上のログイン画面を示したもの、図３は該掲示板に利用者が個別に割り当てられたＩＤとパスワードによってログインした後に現れるメッセージ入力画面を示したもの、図４は該掲示板により、例えば過去に入力されたメッセージがツリー状になって表示される画面を示したものである。
【０００９】
図中、図７及び図８と同一符号のものは同一のものを示すものとする。
【００１０】
図１において、２０は本発明に係る掲示板で、ドア６を間に置いてかご操作盤７とは反対側のかごパネル３に設置する。
【００１１】
掲示板２０は、利用登録をされた者のみが利用できる認証手段を有しており、その認証を行う認証画面を示したのが図２である。該掲示板２０の画面上部には「ログイン画面」の表示が出力され、その下に「ログインＩＤ」の表示及び入力スペース２１、「パスワード」の表示及び入力スペース２２が表示される。画面下部には英数字の組合せを入力できる英数字タッチパネル２３が表示され、利用者は該文字列２３の中から各人のＩＤ及びパスワードに係る文字列を構成して該ＩＤ入力スペース２１及び該パスワード入力スペース２２に入力する。このようにしてログイン作業を行える。
【００１２】
図３は、ログイン後に表示されるメッセージ入力画面を示したものである。名前入力欄２４とメッセージ入力欄２５、タッチ入力式に係るかな文字列２６、一覧表示ボタン２７及び保留ボタン２８で構成されている。利用者は、名前入力欄２４に自分の名前又はペンネーム等を、メッセージ入力欄２５にメッセージを、かな文字タッチパネル２６を指で触ることにより入力する。エレベータであるから、当然に利用できる時間が限られており、入力中にエレベータが行先階に到着することが予想され、したがって、該掲示板の利用者は入力中に中断しなければならない場合が数多く想定される。係る場合のために用意されたのが保留用パネルボタン２８であり、メッセージ入力中に中断しなければならなくなった場合に該保留用タッチボタン２８を押すことにより、それまで入力されてきたメッセージがそのまま後述の図５に示すエレベータ制御装置１２を経由して情報蓄積装置１３に送信されて保存される。そして、次回に同じ利用者ＩＤでログインしたときに中断時の入力画面がそのまま再現される。
【００１３】
また、一覧表示ボタン２７を押したときに現れる他の利用者のメッセージをすべて表示する閲覧画面を示したものが図４である。該ツリー状の画面上ではメッセージを閲覧することができ、各メッセージを指で触ることによりメッセージが表示され、返信ボタン２９を触ることにより該メッセージに対する返信メッセージを入力することができる。
【００１４】
図５は伝送手段の構成を示したものである。かご内に設置された掲示板２０と乗場側に設置された掲示板１０からの入力メッセージはエレベータ制御装置１２を経由して情報蓄積装置１３に蓄積される。このようにして、利用者が入力したメッセージを蓄積し必要に応じて随時閲覧できるシステムを構成することにより、利用者間のコミュニケーションを円滑に促進し、情報を共有するための仕組みとすることができる。
【００１５】
図６はエレベータホール側を示すものである。掲示板１０が乗場呼び登録ボタン１３の上部且つ近傍に設置されており、エレベータの利用者は待ち時間中に自由にメッセージ閲覧及び入力を行うことができる。
【産業上の利用可能性】
【００１６】
上記した実施例１では、図３及び図４に示す画面上の入力手段に指で触るタッチ方式について述べているが、これは磁石を用いたタッチペン方式としてもよく、本発明に係る掲示板の利用者にとっての使い勝手を高めることもできる。また、エレベータかご内或いは乗場以外の場所（例えば居住区）から情報の入力や消去を行うようにしてもよく、表示装置は液晶、或いは有機エレクトロ・ルミネッセンス等で構成された画面で構成されるものとしてもよい。
【図面の簡単な説明】
【００１７】
【図１】エレベータかご内に掲示板を設置した図
【図２】認証画面を示した図
【図３】メッセージ入力画面図
【図４】ツリー状にメッセージを表す画面図
【図５】伝送手段の構成図
【図６】エレベータホール内に掲示板を設置した図
【図７】従来技術を示す図
【符号の説明】
【００１８】
１  かご
６  ドア
７  かご操作盤
１０  掲示板
１１  乗場呼びボタンパネル
２０  掲示板
２１  ログインＩＤ入力欄
２２  パスワード入力欄
２３  英数字タッチパネル
２４  名前入力欄
２５  メッセージ入力欄
２６  かな文字タッチパネル
２７  一覧表示呼び出し用タッチボタン
２８  保留用タッチボタン
２９  送信ボタン
【図１】
2005263426.tif 000003
【図２】
2005263426.tif 000004
【図３】
2005263426.tif 000005
【図４】
2005263426.tif 000006
【図５】
2005263426.tif 000007
【図６】
2005263426.tif 000008
【図７】
2005263426.tif 000009